(57)【要約】【課題】カメラダイレクト印刷システムにおいて、デジタルカメラのＲＯＭ容量を圧迫する事無く更にＣＰＵやメモリに大きな負荷を与える事無く、デジタルカメラのビューワー上で装飾処理のシミュレーションを行い、装飾処理後の写真をプリンタから出力を可能とする。【解決手段】デジタルカメラでの撮影画像の装飾処理が開始されると、プリンタは自身に接続されたＣＤ−ＲＯＭから装飾画像ファイル内のサムネイルを取得し、デジタルカメラはそのサムネイルを用いて撮影画像の装飾処理のシミュレーションを行い、装飾処理確定後、印刷命令と同時に撮影画像を送信し、プリンタは印刷命令を受けると、ＣＤ−ＲＯＭから装飾処理に必要な装飾画像ファイルの実データを取得し、画像処理部において撮影画像と背景や飾りとの合成を行い印刷する。即ち、デジタルカメラのＣＰＵやメモリに大きな負担をかけることがない。【選択図】        図１
2005020485.tif 000002
【特許請求の範囲】
【請求項１】
プリンタに対して、撮影画像の編集が可能なＵＩとビューワーを持つデジタルカメラと、ＣＤ−ＲＯＭドライブがケーブルもしくは無線で接続されているカメラダイレクト印刷システムにおいて、
デジタルカメラはビューワー上で撮影写真に背景や飾り付けなど装飾処理のシミュレーションを行い、プリンタに対して背景や飾り付けのサムネイルデータを要求し、プリンタに対して印刷命令と同時に、撮影画像データの転送ならびに必要な装飾画像ファイルの指定を行うことが可能であり、
プリンタはデジタルカメラならびにＣＤ−ＲＯＭと直接データを送受信すること並びにデジタルカメラの要求に応じてＣＤ−ＲＯＭから背景や飾りなどの装飾画像データまたはそのサムネイルを取得しデジタルカメラに送ることが可能であり、
デジタルカメラから印刷命令と撮影画像と装飾処理に必要なデータファイルの指定を受けると、背景や飾りなどの装飾データファイルをＣＤ−ＲＯＭから読み取り、画像処理部において撮影画像と装飾画像との合成を行い、それを印刷することが可能であることを特徴とするカメラダイレクト印刷システム。
【発明の詳細な説明】
【０００１】
【発明の属する技術分野】
本発明はパソコンを介さずにデジタルカメラの撮影画像をプリンタに出力するカメラダイレクト印刷システムに関する。
【０００２】
【従来の技術】
従来は、デジタルカメラが装飾データを持たねばならず、予め装飾データをＲＯＭに収めておくか、もしくは一時的にＲＡＭにダウンロードし、デジタルカメラのＣＰＵを用いて装飾処理を行わなければならなかった。特許文献１参照。
【０００３】
【特許文献１】
特開平１１−３３１６９９号公報
【０００４】
【発明が解決しようとする課題】
デジタルカメラからプリンタに直接出力できるカメラダイレクト印刷システムにおいて、デジタルカメラのＲＯＭ容量を圧迫する事無く、さらにＣＰＵやメモリに大きな負荷を与える事無く、デジタルカメラのビューワー上で装飾処理のシミュレーションを行い、装飾処理後の写真をプリンタから出力することを可能とする。
【０００５】
【課題を解決するための手段】
デジタルカメラでの撮影画像の装飾処理が開始されると、プリンタは自身に接続されたＣＤ−ＲＯＭから背景や飾りなどの装飾画像ファイル内のサムネイルを取得し、デジタルカメラはそのサムネイルを用いて撮影画像の装飾処理のシミュレーションを行い、装飾処理確定後、プリンタに対して印刷命令と同時に撮影画像を送信し、プリンタは印刷命令を受けると、ＣＤ−ＲＯＭから装飾処理に必要な背景や飾りの装飾画像ファイルの実データを取得し、画像処理部において撮影画像と背景や飾りとの合成を行い印刷する。
【０００６】
即ち、本発明では装飾のための実データはＣＤ−ＲＯＭ内から取り出すためデジタルカメラのＲＯＭ容量を圧迫することは無く、かつ実際の装飾処理はプリンタが行うため、デジタルカメラのＣＰＵやメモリに大きな負担をかけることがない。
【０００７】
【発明の実施の形態】
以下、本発明の実施の形態を図面を参照しながら説明する。
【０００８】
図１は、本発明のカメラダイレクト印刷システムのシステム構成図である。
【０００９】
ビューワー上で撮影写真に背景や飾り付けなど修飾処理のシミュレーションを行い、プリンタに対して背景や飾り付けのサムネイルデータを要求し、プリンタに対して印刷命令と同時に、撮影画像データの転送ならびに必要な修飾画像ファイルの指定を行うことが可能なデジタルカメラ０１は、デジタルカメラならびにＣＤ−ＲＯＭと直接データを送受信すること並びにデジタルカメラの要求に応じてＣＤ−ＲＯＭから背景や飾りなどのＪＰＥＧまたはそのサムネイルを取得しデジタルカメラに送ることが可能であり、デジタルカメラから印刷命令、撮影画像と修飾処理に必要なＪＰＥＧファイルの指定を受けると、背景や飾りなどのＪＰＥＧをＣＤ−ＲＯＭから読み取り撮影画像と修飾画像との合成を行い、それを印刷するプリンタ０２と、ケーブルもしくは無線で接続されている。
【００１０】
同時に、プリンタ０２は一般的なＣＤ−ＲＯＭドライブまたはＣＤ−ＲまたはＣＤ−ＲＷ  ０３と、ケーブルもしくは無線で接続されている。
【００１１】
次に、本発明に特有なデータのフローを図２に基づいて説明する。
【００１２】
図２はデジタルカメラとプリンタ間で交わされるコマンドとデータのフローを示している。
【００１３】
先ず、ユーザーはデジタルカメラのビューワーに装飾の対象である撮影画像のサムネイルを表示させる。
【００１４】
次に、ユーザーは装飾処理を開始するためにデジタルカメラの装飾ボタン等を押下し、このとき、デジタルカメラはプリンタに対し、装飾サムネイル要求コマンド▲１▼を送信する。
【００１５】
プリンタは装飾サムネイル要求コマンド▲１▼を受けると、ＣＤ−ＲＯＭ等から装飾サムネイル▲２▼を読込み、デジタルカメラに対して装飾サムネイル▲２▼を送信する。
【００１６】
ユーザーは装飾ボタン等の押下を繰り返し、適用する装飾を確定した後に確定ボタンを押下する。このとき、デジタルカメラはプリンタに対し、印刷コマンド▲３▼とともに装飾対象の撮影画像の実データ▲４▼を送信する。この時、印刷コマンド▲３▼には、ユーザーによって決定された装飾画像のファイル名がパラメータとして含まれている。
【００１７】
プリンタはＣＤ−ＲＯＭ等から装飾画像の実データ▲５▼を取得し、撮影画像の実データとの合成処理▲６▼を行い、印刷を実行する。
【００１８】
【発明の効果】
以上説明した様に、本発明によれば、デジタルカメラからプリンタに直接出力できるカメラダイレクト印刷システムにおいて、プリンタはＣＤ−ＲＯＭから背景や飾りなどの装飾画像ファイル内のサムネイルを取得し、デジタルカメラはそのサムネイルを用いて撮影画像の装飾処理のシミュレーションを行い、装飾処理確定後、プリンタはＣＤ−ＲＯＭから装飾処理に必要な背景や飾りの装飾画像ファイルの実データを取得し、画像処理部において撮影画像と背景や飾りとの合成を行い印刷するので、デジタルカメラのＲＯＭ容量を圧迫する事無く、さらにＣＰＵやメモリに大きな負荷を与える事無く、デジタルカメラの撮影画像に対して装飾処理を施し、プリンタから出力することが可能となった。
【図面の簡単な説明】
【図１】本発明のカメラダイレクト印刷システムのシステム構成図である。
【図２】デジタルカメラとプリンタ間で交わされるコマンドとデータのフローを示している。
【図１】
2005020485.tif 000003
【図２】
2005020485.tif 000004